(57)【要約】【課題】構造力学的な不安定化を招かずに間取りのフリープラン化に容易に、低コストで対応することが可能な鉄筋コンクリート造中空スラブを提供する。【解決手段】周囲を固定状態で支持され、平面視して実質的に長方形又は正方形で上表面が実質平面状となって、内部にコンクリート１６節減用の複数のボイド材１７を有する鉄筋コンクリート造中空スラブ１０において、この鉄筋コンクリート造中空スラブ１０の上表面には排水配管２２を挿通可能な溝１１が設けられ、しかも、溝１１の底部には、排水配管２２が連通する排水竪管１３を挿通可能な１個以上の戸外排出孔１４が設けられている。【選択図】        図１
2004293189.tif 000002
【特許請求の範囲】
【請求項１】
周囲を固定状態で支持され、平面視して実質的に長方形又は正方形で上表面が実質平面状となって、内部にコンクリート節減用の複数のボイド材を有する鉄筋コンクリート造中空スラブにおいて、
この鉄筋コンクリート造中空スラブの上表面には排水配管を挿通可能な溝が設けられ、しかも、該溝の底部には、前記排水配管が連通する排水竪管を挿通可能な１個以上の戸外排出孔が設けられていることを特徴とする鉄筋コンクリート造中空スラブ。
【請求項２】
請求項１記載の鉄筋コンクリート造中空スラブにおいて、前記溝は、この鉄筋コンクリート造中空スラブを平面視した１の中心軸に対称に少なくとも２本隙間を有して設けられていることを特徴とする鉄筋コンクリート造中空スラブ。
【請求項３】
請求項２記載の鉄筋コンクリート造中空スラブにおいて、この鉄筋コンクリート造中空スラブは、平面視して長方形であって、前記２本の溝は、前記長方形の長辺に平行であって、しかも、前記各溝は、前記長方形の長辺に対してその端部から短辺の長さの１／４以下の範囲にあることを特徴とする鉄筋コンクリート造中空スラブ。
【請求項４】
請求項２記載の鉄筋コンクリート造中空スラブにおいて、この鉄筋コンクリート造中空スラブは、平面視して正方形であって、前記２本の溝は、前記正方形の１辺に平行であって、しかも、前記各溝は、前記中心軸に平行な辺に対してその端部から辺の長さの１／４以下の範囲にあることを特徴とする鉄筋コンクリート造中空スラブ。
【請求項５】
請求項２〜４のいずれか１項に記載の鉄筋コンクリート造中空スラブにおいて、前記２本の溝を連結する１又は２以上の新たな溝を設けたことを特徴とする鉄筋コンクリート造中空スラブ。
【請求項６】
請求項２〜５記載の鉄筋コンクリート造中空スラブにおいて、前記ボイド材は、前記中心軸に対して対称に配置されていることを特徴とする鉄筋コンクリート造中空スラブ。
【請求項７】
請求項２〜６のいずれか１項に記載の鉄筋コンクリート造中空スラブにおいて、この鉄筋コンクリート造中空スラブの厚さをＨとし、この鉄筋コンクリート造中空スラブを平面視して長方形の場合は短辺の長さを特定長Ｌｘとして、また、平面視して正方形の場合は１辺の長さを特定長Ｌｘとして、前記各溝の最大幅Ｗ及び最大深さＤが、
Ｗ≦０．２５・Ｌｘ
Ｄ≦（１／３）・Ｈ
の関係を満たすことを特徴とする鉄筋コンクリート造中空スラブ。
【発明の詳細な説明】
【０００１】
【発明の属する技術分野】
本発明は集合住宅等の高層建築物に使用する鉄筋コンクリート造中空スラブに関する。
【０００２】
【従来の技術】
従来、集合住宅等の高層建築物に使用する鉄筋コンクリート造中空スラブは、上表面が全面にわたって平坦に形成されている（例えば、特許文献１参照）。
このため、高層建築物の各住戸に使用する水廻りの設備機器からの排水は、先端側が基端側よりも高さが低くなるように勾配をつけた排水配管内を自然流下させることにより行うのが一般的な方法となっていた。
【０００３】
【特許文献１】
特開２００１−１０７４９９号公報
【０００４】
【発明が解決しようとする課題】
しかしながら、勾配をつけた排水配管内で排水を自然流下させようとすれば、必然的に設備機器の排水口の位置は、所定の据付高さを確保することが必要になる。また、集合住宅の階高はコスト効率の面から限界が生じ、現状では、例えば３ｍ以下となっている。更に、排水配管が接続されて戸外へ排水を送り出す排出竪管の数量も建築コストに大きく影響するため、できるだけ少なくするように設計段階で計画される。
そのため、これまでは水廻りの設備機器は、なるべく１ヶ所にまとめて配置し、その近くに排出竪管を設置することにより、水廻りの設備機器の据付高さを可能な限り低くすると同時に、排出竪管の数量も極少となるよう計画されていた。
【０００５】
ところが、このような計画下では、水廻りの設備機器を設置する位置が大きく制約を受けるため、顧客の求める間取りプランに殆ど対応することができないという問題があった。そして、同一竪軸の住戸については、最下階から最上階まで殆ど同一の間取りプランを採用せざるを得なかった。また、異なる竪軸の住戸間においても、その間取りに大きな違いを与えることは不可能に近かった。
更に、住戸のバリヤフリー化の要求に対しては、図７（Ａ）、（Ｂ）に示すように、水廻りの設備機器の一例であるユニットバス５０が配置される箇所の中空スラブ５１にピット５２を設け、ユニットバス５０の排水口５３に接続する排水配管５４をこのピット５２内に配設することにより、排水配管５４に所要の水勾配を与えるという方法を採らざるを得なくした。
なお、符号５５は、排水配管５４が連通する排水竪管を示す。
【０００６】
その結果、間取りプランのなお一層のフリープラン化が困難になったばかりでなく、ピット５２を設けることによる中空スラブ５１の曲げ剛性に著しい不均一化を発生させることになった。また、中空スラブ５１の非対称性に伴うスラブ剛性の変化位置における応力集中が生じ、中空スラブ５１の不安定化が生じるという問題が生じる。このため、ピット５２が存在しないスラブの場合と比較してスラブ配筋量を、例えば５０％以上も増加させることが必要になり、建築施工コストが上昇するという問題が生じると共に、中空スラブ５１の不安定化に伴って耐震性に悪影響を及ぼすことが懸念される。
更に、この不均一化した非対称の中空スラブ５１の施工は、型枠工事、鉄筋工事、ボイド工事という中空スラブ工事を施工する全職種に渡って施工性を悪化させるため、施工ミスを誘発させ易く、しかも、躯体検査をも複雑化させるため建築施工コストの上昇要因の一つとなっている。
本発明はかかる事情に鑑みてなされたもので、構造力学的な不安定化を招かず、集合住宅の住戸内間取りのフリープラン化に容易にしかも低コストで対応することが可能な鉄筋コンクリート造中空スラブを提供することを目的とする。
【０００７】
【課題を解決するための手段】
前記目的に沿う本発明に係る鉄筋コンクリート造中空スラブは、周囲を固定状態で支持され、平面視して実質的に長方形又は正方形で上表面が実質平面状となって、内部にコンクリート節減用の複数のボイド材を有する鉄筋コンクリート造中空スラブにおいて、
この鉄筋コンクリート造中空スラブの上表面には排水配管を挿通可能な溝が設けられ、しかも、該溝の底部には、前記排水配管が連通する排水竪管を挿通可能な１個以上の戸外排出孔が設けられている。
【０００８】
鉄筋コンクリート造中空スラブの上表面に排水配管を挿通可能な溝を設けることにより、水廻りの設備機器の排水口に接続した排水配管を最寄りの溝内に入れて挿通することができ、水廻りの設備機器の据付高さに制約が生じないようにできる。
また、溝の底部に１個以上の戸外排出孔を設けて、そこに排水竪管を挿通するようにしているので、排水配管を溝内に配管して最寄りの排水竪管と連通させることができ、限られた本数の排水竪管を有効に使用して水廻りの設備機器からの排水を戸外に排出することができる。
更に、水廻りの設備機器を排水竪管の周囲に配置する必要がなく、任意の位置に分散させて配置することが可能になる。
【０００９】
本発明に係る鉄筋コンクリート造中空スラブにおいて、前記溝は、この鉄筋コンクリート造中空スラブを平面視した１の中心軸に対称に少なくとも２本隙間を有して設けられていることが好ましい。
【００１０】
溝を中心軸に対称に隙間を有して設けることにより、溝が中心側によるのを防止して、鉄筋コンクリート造中空スラブの断面欠損による剛性の著しい低下を防止できる。
また、中心軸に対称になるように溝を設けることにより、溝を設けても鉄筋コンクリート造中空スラブの剛性の均一性と対称性を維持することができ、鉄筋コンクリート造中空スラブ内での応力集中及びスラブの不安定化を防止できる。
更に、少なくとも２本の溝を設けることにより、水廻りの設備機器に接続した排水配管を直ちに最寄りの溝内に挿通させることができ、水廻りの設備機器を分散させて配置することができる。これにより、住戸内の任意の場所に水廻りの設備機器を設置することが可能となり、自由な発想で間取りできる。
【００１１】
本発明に係る鉄筋コンクリート造中空スラブにおいて、この鉄筋コンクリート造中空スラブは、平面視して長方形であって、前記２本の溝は、前記長方形の長辺に平行であって、しかも、前記各溝は、前記長方形の長辺に対してその端部から短辺の長さの１／４以下の範囲にあることが好ましい。
【００１２】
平面視して長方形の鉄筋コンクリート造中空スラブの周囲が固定されて、この鉄筋コンクリート造中空スラブが支持する荷重により撓む際に、各溝が中心軸側に寄り過ぎると、この断面欠損による剛性低下が著しくなり、かえって危険となる。このため、この剛性低下を実用上不都合のない程度におさめるように、溝の幅と深さを構造解析により適切な値となるように決定するが、それでもなお、スラブの動的安定性を得るために、長方形の長辺に対してその端部から短辺の長さの１／４以下の範囲に溝を形成するようにして、各溝が中心軸側に寄り過ぎるのを防止した。
その結果、鉄筋コンクリート造中空スラブに断面欠損が発生しても、鉄筋コンクリート造中空スラブの構造的な安定性に与える影響を小さくすることができる。ここで、動的に安定とは、例えば、鉄筋コンクリート造中空スラブの振動に対する居住性について、居住者より苦情が出ない程度に鉄筋コンクリート造中空スラブの固有振動数が大きいこと、すなわち体感振動を感じないようにすることを意味する。
【００１３】
本発明に係る鉄筋コンクリート造中空スラブにおいて、この鉄筋コンクリート造中空スラブは、平面視して正方形であって、前記２本の溝は、前記正方形の１辺に平行であって、しかも、前記各溝は、前記中心軸に平行な辺に対してその端部から辺の長さの１／４以下の範囲にあることが好ましい。
【００１４】
平面視して正方形の鉄筋コンクリート造中空スラブの周囲が固定されて、この鉄筋コンクリート造中空スラブが支持する荷重により撓む際に、各溝が中心軸側に寄り過ぎると、この断面欠損による剛性低下が著しくなり、かえって危険となる。このため、この剛性低下を実用上不都合のない程度におさめるように、溝の幅と深さを構造解析により適切な値となるように決定するが、それでもなお、スラブの動的安定性を得るために、正方形の１辺に対してその端部から辺の長さの１／４以下の範囲に溝を形成するようにして、各溝が中心軸側に寄り過ぎるのを防止した。
その結果、鉄筋コンクリート造中空スラブに断面欠損が発生しても、鉄筋コンクリート造中空スラブの構造的な安定性に与える影響を小さくすることができる。
【００１５】
本発明に係る鉄筋コンクリート造中空スラブにおいて、前記２本の溝を連結する１又は２以上の新たな溝を設けることができる。
【００１６】
これによって、水廻りの設備機器の排水口に接続した排水配管が鉄筋コンクリート造中空スラブの上表面を通過する際の距離を更に短くすることができ、水廻りの設備機器を分散させて配置する領域を更に広げることができる。
【００１７】
本発明に係る鉄筋コンクリート造中空スラブにおいて、前記ボイド材は、前記中心軸に対して対称に配置されていることが好ましい。
【００１８】
これによって、鉄筋コンクリート造中空スラブの剛性の均一性と対称性を維持することができ、鉄筋コンクリート造中空スラブ内での応力集中及びスラブの不安定化を防止できる。
例えば、中心軸に対して２本の平行な溝が存在する場合、ボイド材は２本の溝を挟むようにして、中心軸に対して対称に配置される。この場合、ボイド材と各溝の隙間Ｃは１００ｍｍ以上を確保することが好ましい。
【００１９】
本発明に係る鉄筋コンクリート造中空スラブにおいて、この鉄筋コンクリート造中空スラブの厚さをＨとし、この鉄筋コンクリート造中空スラブを平面視して長方形の場合は短辺の長さを特定長Ｌｘとして、また、平面視して正方形の場合は１辺の長さを特定長Ｌｘとして、前記各溝の最大幅Ｗ及び最大深さＤが、
Ｗ≦０．２５・Ｌｘ
Ｄ≦（１／３）・Ｈ
の関係を満たすようにするのがよい。
【００２０】
鉄筋コンクリート造中空スラブの上表面に形成する溝の位置を規定することにより、鉄筋コンクリート造中空スラブに断面欠損が発生しても、鉄筋コンクリート造中空スラブの動的安定性に実質的に影響を与えないようにすることができる。しかし、溝の軸方向に垂直となる面における鉄筋コンクリート造中空スラブの断面積に対して、溝の断面積が大きくなると、鉄筋コンクリート造中空スラブの断面欠損の影響を強度的に無視できなくなる。
そこで、溝の断面積の大きさを規定する各寸法を、上記の式を満足する範囲にした。これによって、鉄筋コンクリート造中空スラブの上表面に溝を形成しても鉄筋コンクリート造中空スラブの強度に実質的に影響を与えないようにすることができる。
なお、溝の断面形状は、上記の式を満足すれば四角形以上の多角形、半円、半楕円、Ｖ字形、Ｕ字形等の任意の形状にすることができる。
【００２１】
【発明の実施の形態】
続いて、添付した図面を参照しつつ、本発明を具体化した実施の形態につき説明し、本発明の理解に供する。
ここに、図１は本発明の一実施の形態に係る鉄筋コンクリート造中空スラブの平断面図、図２は図１の矢視Ａ−Ａ断面図、図３は本発明の一実施の形態に係る鉄筋コンクリート造中空スラブの変形例の部分側断面図、図４は同鉄筋コンクリート造中空スラブの他の変形例の平断面図、図５は本発明の一実施の形態に係る鉄筋コンクリート造中空スラブに形成された溝の状態を示す説明図、図６（Ａ）、（Ｂ）はそれぞれ本発明の一実施の形態に係る鉄筋コンクリート造中空スラブを適用した水廻りの設備機器の設置方法を示す平面図、及び側断面図である。
【００２２】
図１、図２に示すように、本発明の一実施の形態に係る鉄筋コンクリート造中空スラブ（以下、単に中空スラブという）１０は、例えば、平面視して実質的に長方形で上表面が実質平面状（短辺の長さがＬｘ、厚さがＨ）となって、その上表面に排水配管２２（図６参照）を挿通可能な溝１１が、長方形の長辺に平行な中心軸１２に対称に２本隙間を有して設けられている。更に、中空スラブ１０には、各溝１１の底部に排水配管２２が連通する排水竪管１３を挿通可能な戸外排出孔１４がそれぞれ１箇所ずつ設けられている。以下、これらについて詳細に説明する。
【００２３】
中空スラブ１０の周辺は、中空スラブ１０を有する建物を軸組構築する梁の一部である支持梁１５により固定支持されている。そして、中空スラブ１０には、長辺に平行で、長辺の各端部から短辺の長さの１／４以下の範囲に、中心軸１２に対して対称になるように２本の溝１１が形成されている。
ここで、溝１１の断面形状は、例えば長方形とすることができ、溝の最大幅Ｗをこの長方形の長辺、溝の最大深さＤを長方形の短辺にそれぞれ対応するように形成する。
また、中空スラブ１０では、コンクリート１６の使用を節減してスラブ自重を軽減するために、スラブ厚さ方向の中央部にボイド材の一例である発泡スチロール丸棒１７が各溝１１の間に等間隔に、しかも、中心軸１２に対して対称に配置されている。
なお、中空スラブ１０は、従来のスラブに比べてスラブ厚さＨを厚くして、スラブ補強小梁を必要としないように曲げ剛性を高めている。
【００２４】
平面視して実質的に長方形である中空スラブ１０の中心軸１２に対して対称となるように各溝１１を設けることにより、中空スラブ１０の幾何学的な均一性と対称性を維持することができる。各溝１１を中心軸１２に対して対称になるように設けることにより、発泡スチロール丸棒１７の配置を、中心軸１２に対して対称に配置することができる。
その結果、中空スラブ１０の上表面に各溝１１を形成しても、中空スラブ１０のスラブ剛性の均一性と対称性を維持することができる。その結果、建物全体としての安定性を維持することができ、例えば、耐震性の低下を防止することができる。
なお、図３に示すように、各溝１１が形成されている直下のスラブ中に、ボイド材の一例である発泡スチロール丸棒１７ａを配置してもよい。この場合、発泡スチロール丸棒１７ａをコンクリート１６で被覆する際の厚さ（かぶり厚さ）Ｋが６０ｍｍ以上になるように、発泡スチロール丸棒１７ａを配置する必要がある。
【００２５】
形成する各溝１１の位置を、中空スラブ１０の各長辺の端部から短辺の長さの１／４以下の範囲に規定することにより、断面欠損による剛性の著しい低下を防ぐことができる。
更に、形成する各溝１１の幅Ｗ及び深さＤを、中空スラブ１０の短辺の長さＬｘ、中空スラブ１０の厚さＨに対して、Ｗ≦０．２５・Ｌｘ、Ｄ≦（１／３）・Ｈの関係を満たすようにして、断面欠損が強度に与える影響を無視できるようにした。
その結果、溝１１を設けて中空スラブ１０に断面欠損を発生させても、中空スラブ１０の実質的な強度低下を防止することができる。
なお、各溝１１の幅Ｗ及び深さＤが、それぞれＷ≦０．２５・Ｌｘ、Ｄ≦（１／３）・Ｈの関係を満たしておれば、図４に示す中空スラブ１０ａのように、各長辺の端部から各溝１１を形成してもよい。
【００２６】
各溝１１の底部に戸外排出孔１４をそれぞれ設けることにより、各戸外排出孔１４に排水竪管１３を挿通することができる。このため、中空スラブ１０の上表面の任意の位置に分散配置した各水廻りの設備機器の排水口に接続した各排水配管２２を最寄りの溝１１内に入れてその中を通過させて、排水竪管１３に連通させることにより、各水廻りの設備機器の排水を戸外に排出することができる。
ここで、各中空スラブ１０の各溝１１に形成する戸外排出孔１４の位置を、上下の住戸の中空スラブ１０の各溝１１に形成する戸外排出孔１４の位置と平面視して一致させることにより、各戸外排出孔１４に共通の排水竪管１３を挿通させることができる。
このため、各中空スラブ１０毎にその上表面に任意に分散配置した各水廻りの設備機器からの排水を、共通の排水竪管１３に流入させて戸外に排出することができる。その結果、建物全体としての、例えば、耐火、遮音、漏水等の各種対策を低コストで、効果的かつ容易に実施することができる。
【００２７】
続いて、本発明の一実施の形態に係る鉄筋コンクリート造中空スラブ１０を適用した水廻りの設備機器の設置方法について詳細に説明する。
先ず、図１、図２に示すように、周囲を支持梁１５で固定された、例えば、長辺の長さＬｙが１２０００ｍｍ、短辺の長さＬｘが７９９０ｍｍである実質的に長方形をした領域に、この長方形の長辺に平行な中心軸１２に対して対称に、各長辺に対してその端部から中心軸１２の方向に１９００ｍｍの位置（短辺の長さＬｘの約１／４．２０５）に溝１１の側面の中で中心軸１２側の側面がきて、長さが長辺方向の全長に渡る長方形断面を有し、しかも、底部に排水竪管１３が挿通する戸外排出孔１４を１個備えた溝１１が２本形成されるように、図示しない鉄筋とボイド材の一例である発泡スチロール丸棒１７をそれぞれ配設しコンクリート１６を打設して、厚さＨが２７５ｍｍの中空スラブ１０を製作する。
ここで、各溝１１の間には、発泡スチロール丸棒１７の端面と溝１１の側面との隙間Ｃが１００ｍｍになるようにして、長方形の領域の各短辺側では中心軸１２に平行になるように（すなわち長辺に平行になるように）発泡スチロール丸棒１７を配設する。また、長方形の領域の各短辺側を除く部分では、中心軸１２に直交するように（すなわち短辺に平行になるように）発泡スチロール丸棒１７を配設する。
なお、各溝１１の幅Ｗは７９０ｍｍ（≦０．２５・Ｌｘ）、深さＤは７５ｍｍ（≦（１／３）・Ｈ）である。図５に、中空スラブ１０に形成された溝１１の状態を示す。
【００２８】
次いで、図６（Ａ）、（Ｂ）に示すように、中空スラブ１０の上表面に間取りのプランに合わせて、水廻りの設備機器の一例であるシステムキッチン１８、洗面台１９、ユニットバス２０、トイレ２１を設置し、各設備機器の排水口に排水配管２２を接続して最寄りの溝１１内に導入し、溝１１内を通過させて排水竪管１３に連通する。
各溝１１の深さＤを７５ｍｍとしているために、各設備機器が中空スラブ１０の上表面のいかなる場所に設置されようとも十分な勾配設けて、各設備機器の排水口から最寄りの排水竪管１３までの間を排水配管２２で接続することができる。また、各溝１１の幅Ｗを７９０ｍｍとしたため、各設備機器からの排水配管２２を通過させるためのスペースを容易に確保することができる。そして、各排水配水管２２を溝１１内に配設することにより、例えば、ガス配管、水道配管、給湯器配管等の他の設備機器からの配管との交叉や干渉を避けることができ、整然とした配管が可能になる。その結果、施工ミスを減少させることができ、施工コストも低減させることができる。更に、設備配管の保守や点検を容易にすることができる。
【００２９】
以上、本発明の実施の形態を説明したが、本発明は、この実施の形態に限定されるものではなく、発明の要旨を変更しない範囲での変更は可能であり、前記した実施の形態や変形例の一部又は全部を組み合わせて本発明の鉄筋コンクリート造中空スラブを構成する場合も本発明の権利範囲に含まれる。例えば、長方形の中空スラブの長辺に平行な中心軸（対称軸）に対して対称に隙間を開けて２本の溝を設けたが、中空スラブの面積が大きい場合や、設置する水廻りの設備機器の個数が多い場合は、この２本の溝を連結する１又は２以上の新たな溝を設けることができる。溝の断面形状を長方形としたが、溝の幅と深さを上述の各式をそれぞれ満足するようにすれば、正方形、四角形以上の多角形、半円、半楕円、Ｖ字形、Ｕ字形等の任意の形状にすることができる。
更に、中空スラブの形状が平面視して正方形の場合は、１の中心軸に平行な各辺の端部から辺の長さの１／４以下の範囲に中心軸に対称になるように２本の溝を形成することができる。そして、この２本の溝を連結する１又は２以上の新たな溝を設けることもできる。
また、鉄筋コンクリート造中空スラブの上表面に設ける溝は一本又は３本以上であってもよい。
【００３０】
【発明の効果】
請求項１〜７記載の鉄筋コンクリート造中空スラブにおいては、この鉄筋コンクリート造中空スラブの上表面には排水配管を挿通可能な溝が設けられているので、水廻りの設備機器の排水口に接続した各排水配管をこの溝内に配設して水回りの設備機器、例えば、台所、トイレ、ユニットバス、洗面所等の設置場所の制約を受けないようにすることができ、集合住宅の設計にあたって住戸内間取り設計を制約する要因を取り除くことが可能になる。その結果、集合住宅の各住戸内の間取りを計画するにあたって、住人の好みに合わせて自由な間取りとすることができ、間取りのフリープラン化に容易に対応することが可能になる。
また、溝の底部には、排水配管が連通する排水竪管を挿通可能な１個以上の戸外排出孔が設けられているので、各戸外排出孔にそれぞれ排水竪管を挿通して溝内に配設した排水配管を最寄りの排水竪管と連通させることができ、限られた本数の排水竪管を有効に使用して水廻りの設備機器からの排水を戸外に排出することが可能になる。その結果、排出竪管の数量を少なくして建築コストを低減することが可能になる。
【００３１】
特に、請求項２記載の鉄筋コンクリート造中空スラブにおいては、溝は、この鉄筋コンクリート造中空スラブを平面視した１の中心軸に対称に少なくとも２本隙間を有して設けられているので、鉄筋コンクリート造中空スラブ内での応力集中及び鉄筋コンクリート造中空スラブの不安定化を防止でき、溝を形成してもスラブ配筋量を増加させないようにすることが可能になる。
その結果、鉄筋コンクリート造中空スラブの製作コストの上昇を抑えることが可能になる。
【００３２】
請求項３記載の鉄筋コンクリート造中空スラブにおいては、この鉄筋コンクリート造中空スラブは、平面視して長方形であって、２本の溝は、長方形の長辺に平行であって、しかも、各溝は、長方形の長辺に対してその端部から短辺の長さの１／４以下の範囲にあるので、また、請求項４記載の鉄筋コンクリート造中空スラブにおいて、この鉄筋コンクリート造中空スラブは、平面視して正方形であって、２本の溝は、正方形の１辺に平行であって、しかも、各溝は、中心軸に平行な辺に対してその端部から辺の長さの１／４以下の範囲にあるので、住戸内の任意の場所に水廻りの設備機器を設置できることから間取り設計の幅が広がり、住人の好みに合わせた間取りのフリープラン化に容易に対応することが可能になる。また、中空スラブの上表面に溝を設けても中空スラブの強度に与える影響を小さくすることができ、例えばスラブ配筋量を増加させるような強度補強策を必要としないことから中空スラブの製作コストの上昇を抑えることが可能になる。
【００３３】
請求項５記載の鉄筋コンクリート造中空スラブにおいては、２本の溝を連結する１又は２以上の新たな溝を設けたので、水廻りの設備機器に接続した排水配管を直ちに最寄りの溝内に挿通させることができ、水廻りの設備機器を分散させて配置する領域を更に広げることが可能になる。その結果、間取りのフリープラン化に更に容易に対応することが可能になる。
【００３４】
請求項６記載の鉄筋コンクリート造中空スラブにおいては、ボイド材は、中心軸に対して対称に配置されているので、中空スラブの剛性の均一性と対称性を維持することができ、中空スラブ内での応力集中及びスラブの不安定化を防止でき、例えばスラブ配筋量を増加させるような強度補強策を必要としないことから中空スラブの製作コストの上昇を抑えることが可能になる。
【００３５】
請求項７記載の鉄筋コンクリート造中空スラブにおいては、この鉄筋コンクリート造中空スラブの厚さをＨとし、この鉄筋コンクリート造中空スラブを平面視して長方形の場合は短辺の長さを特定長Ｌｘとして、また、平面視して正方形の場合は１辺の長さを特定長Ｌｘとして、前記各溝の最大幅Ｗ及び最大深さＤが、Ｗ≦０．２５・Ｌｘ、Ｄ≦（１／３）・Ｈの関係を満たすので、溝を形成しても中空スラブの曲げ強度に実質的に影響を与えないようにすることができ、溝が形成された中空スラブを積極的に使用することが可能になる。
【図面の簡単な説明】
【図１】本発明の一実施の形態に係る鉄筋コンクリート造中空スラブの平断面図である。
【図２】図１の矢視Ａ−Ａ断面図である。
【図３】本発明の一実施の形態に係る鉄筋コンクリート造中空スラブの変形例の部分側断面図である。
【図４】同鉄筋コンクリート造中空スラブの他の変形例の平断面図である。
【図５】本発明の一実施の形態に係る鉄筋コンクリート造中空スラブに形成された溝の状態を示す説明図である。
【図６】（Ａ）、（Ｂ）はそれぞれ本発明の一実施の形態に係る鉄筋コンクリート造中空スラブを適用した水廻りの設備機器の設置方法を示す平面図、側断面図である。
【図７】（Ａ）、（Ｂ）はそれぞれ従来例における水廻りの設備機器の排水口と排水配管の接続状態を示す平面図、側断面図である。
【符号の説明】
１０、１０ａ：鉄筋コンクリート造中空スラブ、１１：溝、１２：中心軸、１３：排水竪管、１４：戸外排出孔、１５：支持梁、１６：コンクリート、１７、１７ａ：発泡スチロール丸棒、１８：システムキッチン、１９：洗面台、２０：ユニットバス、２１：トイレ、２２：排水配管
【図１】
2004293189.tif 000003
【図２】
2004293189.tif 000004
【図３】
2004293189.tif 000005
【図４】
2004293189.tif 000006
【図５】
2004293189.tif 000007
【図６】
2004293189.tif 000008
【図７】
2004293189.tif 000009